(57)【特許請求の範囲】
【請求項１】
回路を試験する方法であって：
試験セッションを回路パスに実行することを指し示す試験アクセスセッション要求を受信する段階；
複数のネットワーク構成要素間で共有される帯域幅の一部を有する試験バスに、該試験バスを前記試験セッションのために予約する予約メッセージを送信する段階；及び
前記回路パスに関連するトラフィックを前記試験バスに複製する段階；
を有する方法。
【請求項２】
前記試験バスが利用可能なことを指し示す解放メッセージを前記試験バスに送信する段階；及び
前記試験バスを解放する段階；
を更に有する請求項１記載の方法。
【請求項３】
前記試験バスが利用可能であること、又は前記試験バスが利用可能でないこと、の何れかを指し示すフラグを有するパケットを含むメッセージを送信する段階；
を更に有する請求項１記載の方法。
【請求項４】
前記予約メッセージを送信する段階は：
前記試験バスが利用可能なことを判定する段階；及び
前記試験バスが利用可能な場合に、前記予約メッセージを送信する段階；
を有する、請求項１記載の方法。
【請求項５】
前記試験バスは、複数のタイムスロットのうちの当該試験バスのために予約されたタイムスロットを有する、請求項１記載の方法。
【請求項６】
回路の試験を支援するネットワーク構成要素であって：
インターフェース、及び該インターフェースに結合された１つ以上のプロセッサを有し；
前記インターフェースは：
試験セッションを回路パスに実行することを指し示す試験アクセスセッション要求を受信し；
前記１つ以上のプロセッサは：
複数のネットワーク構成要素間で共有される帯域幅の一部を有する試験バスに、該試験バスを前記試験セッションのために予約する予約メッセージを送信し；且つ
前記回路パスに関連するトラフィックを前記試験バスに複製する；
ネットワーク構成要素。
【請求項７】
前記１つ以上のプロセッサは更に：
前記試験バスが利用可能なことを指し示す解放メッセージを前記試験バスに送信し；且つ
前記試験バスを解放する；
請求項６記載のネットワーク構成要素。
【請求項８】
前記１つ以上のプロセッサは更に：
前記試験バスが利用可能であること、又は前記試験バスが利用可能でないこと、の何れかを指し示すフラグを有するパケットを含むメッセージを送信する；
請求項６記載のネットワーク構成要素。
【請求項９】
前記インターフェースは前記試験アクセスセッション要求を試験アクセス装置から受信する、請求項６記載のネットワーク構成要素。
【請求項１０】
１つ以上のコンピュータ読み取り可能媒体に格納されたプログラムであって、実行されたとき、１つ以上のプロセッサに：
試験セッションを回路パスに実行することを指し示す試験アクセスセッション要求を受信する段階；
複数のネットワーク構成要素間で共有される帯域幅の一部を有する試験バスに、該試験バスを前記試験セッションのために予約する予約メッセージを送信する段階；及び
前記回路パスに関連するトラフィックを前記試験バスに複製する段階；
を行わせるプログラム。
【発明の詳細な説明】
【技術分野】
【０００１】
本発明は、概して通信ネットワーク分野に関し、より具体的には共有帯域幅試験バスを用いた回路試験方法に関する。
【背景技術】
【０００２】
リング型通信ネットワークは、通信リングへの回路の接続を提供するネットワーク構成要素を含む。しばしば、ネットワーク構成要素に結合される回路の動作を試験することが望ましい。一定の状況において、これらの回路パスを試験するための既知の方法は、試験ヘッドをデジタル・クロスコネクト・システム（ＤＣＳ）に接続し、代わってそれをネットワーク構成要素に接続することを含んでいる。このような状況において、試験中の回路は、ＤＣＳに結合された試験ヘッドが該回路を試験するように、通信リングを通してＤＣＳにバックホール（backhaul）される。しかしながら、回路を試験するために通信リングを通して試験中の回路からバックホールすることは、一定の状況において非効率である。
【発明の開示】
【発明が解決しようとする課題】
【０００３】
本発明は、通信ネットワーク内で回路を試験することに伴う不都合及び問題を軽減あるいは排除する方法を提供することを目的とする。
【課題を解決するための手段】
【０００４】
一実施形態に従って、回路を試験する方法は、試験アクセスセッション要求を受信する段階を有する。試験アクセスセッション要求は、試験セッションが回路パスに実行されることを指し示す。予約メッセージが試験バスに送信され、予約メッセージは試験セッションのために試験バスを予約する。試験バスは、複数のネットワーク構成要素間で共有される帯域幅の一部を含む。前記回路パスに関連するトラフィックが試験バスに複製される。
【発明の効果】
【０００５】
或る一定の実施形態は１つ以上の技術的効果をもたらす。一実施形態が有する技術的効果は、ネットワーク構成要素群が同一の試験バスを共有することである。これにより、ネットワーク帯域幅の使用量が最小化され得る。一部の実施形態が有する別の１つの技術的効果は、試験アクセス装置を備えたネットワーク構成要素が、別の位置にあるその他のネットワーク構成要素の試験を実行し得ることである。
【０００６】
本発明の或る一定の実施形態は、上述の技術的効果の一部又は全てを含んでいてもよいし、上述の技術的効果の何れをも含んでいなくてもよい。図面、発明の詳細な説明、及び特許請求の範囲から、当業者には１つ以上の他の技術的効果が明らかになる。
【発明を実施するための最良の形態】
【０００７】
本発明並びにその特徴及び効果のより完全な理解のため、添付の図面に関連付けて以下の説明が参照される。
【０００８】
本発明の実施形態及びその効果は、図１−３を参照することにより、最もよく理解される。様々な図における似通った部分及び対応する部分には似通った参照符号を用いる。
【０００９】
図１は、共有帯域幅試験バスを用いて回路を試験するネットワークシステム１０を例示するブロック図である。様々な実施形態に従って、ネットワーク構成要素群は共有帯域幅試験バスを利用する。この試験バスは、通信ネットワーク内のネットワーク構成要素群の間で共有される帯域幅を用いて、ネットワーク構成要素に結合された回路を試験することを可能にする。
【００１０】
例示された実施形態によれば、ネットワークシステム１０は、リング型ネットワーク２０、試験アクセス装置３４、ゲートウェイ・ネットワーク構成要素２２、ネットワーク構成要素２４、２６及び２８、並びにネットワークノード４２ａ及び４２ｂを含んでいる。一実施形態において、リング型ネットワーク２０は信号を介して情報を伝達する。信号は、光パルスとして伝送される光信号であってもよい。光信号は、一例として、約１５５０ｎｍの波長と、ギガビット／秒単位で１０未満、１０、２０、４０、４０超のデータ速度とを有していてもよい。データ速度は、例えば、ＳＯＮＥＴ（Synchronous  Optical  Network；同期光ネットワーク）ＯＣ−４８信号の場合には２．５ギガビット／秒、ＳＯＮＥＴ  ＯＣ−３信号の場合には１５５メガビット／秒としてもよい。信号は、情報をパケットで伝達する同期トランスポート信号（ＳＴＳ）を有していてもよい。情報は、音声、データ、オーディオ、ビデオ、マルチメディア、制御、信号伝達、及び／又はその他の情報を含み得る。
【００１１】
一実施形態に従って、リング型ネットワーク２０は光ファイバリングを有し得る。リング型ネットワーク２０は、例えばＲＰＲ（Resilient  Packet  Ring）プロトコル等のプロトコルを用いて実現されてもよい。リング型ネットワーク２０は、該リング型ネットワーク２０上でパケットを輸送するために、例えばイーサネット(登録商標)、ＳＯＮＥＴ、又は波長分割多重（ＷＤＭ）技術などの如何なる好適な伝送技術を用いてもよい。
【００１２】
リング型ネットワーク２０の実施形態は、これらに限られないがＵＰＳＲ（Unidirectional  Path  Switched  Ring）トポロジ及びＢＬＳＲ（Bi-directional  Line  Switched  Ring）トポロジを含む数多くのネットワークトポロジにて様々に構成され得る。
【００１３】
ゲートウェイ・ネットワーク構成要素２２、並びにネットワーク構成要素２４、２６及び２８は、図示のように、ファイバ３０によって結合される。ネットワーク構成要素は、１つ以上のネットワーク機能又はネットワークサービスを提供するハードウェア及び／又はソフトウェアを含む。一実施形態において、ゲートウェイ・ネットワーク構成要素２２、並びにネットワーク構成要素２４、２６及び２８の各々は、ＳＯＮＥＴネットワーク構成要素を有する。ネットワーク構成要素の例には、アド／ドロップ・マルチプレクサ（ＡＤＭ）、デジタル・クロスコネクト（ＤＸＣ）、ターミナル・マルチプレクサ、再生器、及びデジタル・ループ・キャリア（ＤＬＣ）が含まれる。ゲートウェイ・ネットワーク構成要素２２は、試験アクセス装置３４がネットワーク構成要素２４、２６及び２８と通信することを可能にするゲートウェイとして機能する。
【００１４】
ファイバ３０は、例えば光ファイバなど、信号を伝送することが可能な如何なる好適なファイバをも意味する。ファイバ３０は、１つ以上のチャネルを伝達する。各チャネルは或る特定波長の信号を意味する。
【００１５】
一実施形態に従って、ファイバ３０の帯域幅の一部は、共有帯域幅試験バス３２として使用される。ゲートウェイ・ネットワーク構成要素２２、並びにネットワーク構成要素２４、２６及び２８は、試験中の回路に関する試験情報を試験バス３２上で伝送する。少なくとも１つの実施形態において、試験バス３２は双方向であり、ネットワークリング２０の周りで試験トラフィックを何れかの向き又は双方の向きで送ることができる。
【００１６】
少なくとも１つの実施形態によれば、ファイバ３０の帯域幅は所定数のタイムスロットに当てられ、これらのタイムスロットのうちの１つ以上が試験バス３２として使用されるように予約される。一実施形態によれば、ゲートウェイ・ネットワーク構成要素２２とネットワーク構成要素２４、２６及び２８との間で試験バス３２上で伝送されるメッセージは、試験バス３２用に予約されたＳＯＮＥＴデータ通信チャネル（ＳＤＣＣ）上で伝送されるセマフォ開放型システム間相互接続（Open  Systems  Interconnection；ＯＳＩ）メッセージを有する。ＳＤＣＣは、ネットワーク構成要素間での信号伝達のためにＳＯＮＥＴで使用されるオペレーション・チャネルである。様々な実施形態において、ＳＤＣＣは１つ以上の同期トランスポート信号（ＳＴＳ）タイムスロットを割り当てられる。様々な実施形態において、試験バス３２の共有帯域幅は試験に必要とされるネットワーク帯域幅を最小化する。
【００１７】
一実施形態において、回路４０は、１つ以上のネットワークノード４２ａ及び４２ｂに結合されたネットワーク構成要素２６を含んでいる。ネットワークノード４２ａ及び４２ｂは、回路４０内の１つ以上の部品、端子、ネットワーク構成要素、又はその他の電信装置を含み得る。一実施形態において、回路４０は、顧客によるリング２０へのアクセスを提供する顧客回路である。回路４０は、試験されることが望まれる試験対象回路４４を含んでいる。試験対象回路４４は、ネットワーク構成要素２６とネットワークノード４２ａ及び４２ｂの１つ以上とを結合する回路４０の一部又は一経路を含んでいる。
【００１８】
少なくとも１つの実施形態において、試験アクセス装置３４は、試験対象回路４４を試験するために、ゲートウェイ・ネットワーク構成要素２２に結合される。一実施形態において、試験アクセス装置３４は試験ヘッドである。試験アクセス装置３４が試験対象回路４４上で実行し得る試験の例は、試験対象回路４４内の１つ以上の接続における接続不良の試験、試験対象回路４４内のネットワークノード４２ａ及び４２ｂの１つ以上が適切に機能することの試験を含む。
【００１９】
試験アクセス装置３４は、ネットワーク構成要素２６宛ての、試験対象回路４４との試験セッションを構築することを要求する試験アクセスセッション要求を送信する。試験セッション中、ネットワーク構成要素２６は、試験対象回路４４上のトラフィックの全て又は一部を試験バス３２に複製する。試験アクセス装置３４は試験バス３２を介してトラフィックを受信し、１つ以上の試験結果を決定するためにトラフィックを分析する。
【００２０】
様々な実施形態において、試験アクセス装置３４は、ゲートウェイ・ネットワーク構成要素２２に接続されている間、ゲートウェイ構成要素２２、又はネットワーク構成要素２４、２６、２８に結合された回路又は回路パスで試験手順を実行するように動作することができる。少なくとも１つの実施形態において、試験アクセス装置３４は、試験バス３２のインテグリティを検証するために、試験バス３２が使用されていないときに試験バス３２の共有帯域幅を監視してもよい。
【００２１】
システム１０に含まれる装置は、ロジック、インターフェース、メモリ、その他の部品、又はこれらの好適な組み合わせを含み得る。ロジックは、ハードウェア、ソフトウェア、その他のロジック、又はこれらの好適な組み合わせを含む。或る一定のロジックは、装置の動作を管理してもよく、例えば、処理を実行するために命令の実行及びデータ操作を行うプロセッサを有し得る。
【００２２】
インターフェースは、入力を受信し、出力を送信し、入力若しくは出力又はこれら双方の好ましい処理を実行し、あるいは、これらの何らかの組み合わせを実行する。インターフェースは、１つ以上のポート、会話ソフトウェア、又はこれらの双方を有し得る。メモリは、情報を記憶し、且つ情報の取り出しを容易にする。メモリは、ランダム・アクセス・メモリ（ＲＡＭ）、読み出し専用メモリ（ＲＯＭ）、磁気ドライブ、ディスクドライブ、コンパクトディスク（ＣＤ）ドライブ、デジタルビデオディスク（ＤＶＤ）ドライブ、取り外し可能メディア記憶装置、その他の好適データ記憶媒体、又はこれらの何れかの組み合わせを有し得る。
【００２３】
本発明の範囲を逸脱することなく、ネットワークシステム１０には変更、付加又は省略が為され得る。ネットワークシステム１０の構成要素は、具体的なニーズに従って一体化、あるいは分離されてもよい。また、ネットワークシステム１０の動作は、より多くの装置、より少ない装置、又はその他の装置によって行われてもよい。さらに、ネットワークシステム１０の動作は、如何なる好適なロジックを用いて実行されてもよい。本明細書においては、“各々”は集合の各要素、又は集合の部分集合の各要素を意味するものとして使用される。
【００２４】
システム１０は、回路を試験するためにデジタル・クロスコネクト・システム（ＤＣＳ）を使用することを不要とする。回路を試験するために試験対象の回路をＤＣＳにバックホールすることは帯域幅を拘束し、また、長い距離にわたってバックホールすることはエラーの影響を受けやすくする。さらに、より長いスパンにまたがり、且つ／或いは多数のスパンにまたがる回路をバックホールを用いて試験することは、大きな労力を要する。
【００２５】
システム１０はまた、試験対象回路４４に含まれるネットワーク構成要素と同一の場所に試験アクセス装置３４を配置することを必要としない。故に、試験アクセス装置３４は、試験対象回路４４上ではないネットワーク構成要素の位置に配置されてもよい。さらに、試験アクセス装置３４は、通信システムのネットワーク構成要素ごとに使用される必要はない。
【００２６】
図２は、共有帯域幅試験バスを用いて回路を試験する方法の一実施形態を例示している。方法１００は、段階１０５にて開始する。段階１１０にて、試験アクセス装置３４は、試験対象回路４４を試験することを指し示す試験アクセスセッション要求をネットワーク構成要素２６に送信する。少なくとも１つの実施形態において、試験アクセスセッション要求は、先ず試験アクセス装置３４からゲートウェイ・ネットワーク構成要素２２に送られ、その後、試験バス３２上でネットワーク構成要素２６に送られる。少なくとも１つの実施形態において、試験アクセス装置３４は、試験アクセス装置３４のユーザからのコマンド又は命令を受信したことに応答して、上記の試験アクセスセッション要求を送信する。
【００２７】
段階１１２にて、ネットワーク構成要素２６は、試験バス３２が現在使用中であるかを判定する。試験バス３２が使用中の場合、段階１１４にて、ネットワーク構成要素２６は試験セッションに関する上記の要求を拒否し、方法１００は段階１３６にて終了する。一部の実施形態においては、個々の時間において１つの試験セッションのみが試験バス３２上で開始されてもよい。しかしながら、他の実施形態においては、個々の時間において複数の試験セッションが試験バス３２上で開始されてもよい。
【００２８】
段階１１２にて試験バス３２が使用中でないと判定された場合、段階１１６にて、ネットワーク構成要素２６は試験セッション用に試験バス３２を予約するため、試験バス３２に予約メッセージを送信する。一実施形態によれば、予約メッセージは、試験バス３２用に予約されたＳＯＮＥＴデータ通信チャネル（ＳＤＣＣ）チャネル上で伝送されるセマフォ開放型システム間相互接続（ＯＳＩ）メッセージを有する。段階１１８にて、予約メッセージを受信したことに応答して、ゲートウェイ・ネットワーク構成要素２２、並びにネットワーク構成要素２４及び２８は、例えばソフトウェアビットを設定することによって、試験バス３２が使用中であることを内部状態に登録する。
【００２９】
段階１２０にて、ネットワーク構成要素２６は、試験対象回路４４と試験バス３２とを橋渡し（ブリッジング）することによって、試験対象回路４４と試験バス３２との間の接続を構築する。段階１２２にて、ネットワーク構成要素２６は、試験セッションがアクティブであることの確認メッセージを試験バス３２上に送信する。この確認メッセージはゲートウェイ・ネットワーク構成要素２２並びにネットワーク構成要素２４及び２８によって受信される。段階１２４にて、試験アクセス装置３４は試験対象回路４４の試験を実行する。試験中、試験対象回路４４上のトラフィックの全て又は一部が、ネットワーク構成要素２６によって試験バス３２に複製され、試験バス３２を介して、ゲートウェイ・ネットワーク構成要素２２を通じて試験アクセス装置３４に伝送される。試験対象回路４４上のトラフィックの複製を受信すると、試験アクセス装置３４はトラフィックを分析し、１つ以上の試験結果を決定する。
【００３０】
段階１２６にて、試験アクセス装置３４は、試験が完了したことを指し示す切断要求をネットワーク構成要素２６に送信する。段階１２８にて、ネットワーク構成要素２６は、切断要求を受信し、試験対象回路４４と試験バス３２との間の接続を切断する。段階１３０にて、ネットワーク構成要素２６は、試験バス３２がもはや利用可能になったことを指し示す解放メッセージを、試験バス３２上で、ゲートウェイ・ネットワーク構成要素２２並びにネットワーク構成要素２４及び２８に送信する。一実施形態によれば、解放メッセージは、試験バス３２用に予約されたＳＤＣＣチャネル上で伝送される開放型システム間相互接続（ＯＳＩ）メッセージを有する。段階１３２にて、ネットワーク構成要素２６は試験バス３２を解放する。段階１３４にて、ネットワーク構成要素２６は、試験アクセスセッションが完了したことを指し示す確認メッセージを試験アクセス装置３４に送信する。段階１３６にて、方法１００は終了する。
【００３１】
本発明の範囲を逸脱することなく、この方法には変更、付加又は省略が為され得る。この方法は、より多くの段階、より少ない段階、又はその他の段階を含んでいてもよい。さらに、本発明の範囲を逸脱することなく、段階群は如何なる好適な順序で実行されてもよい。
【００３２】
図３は、試験バス３２を用いる試験セッションを管理するためのパケット５０の一実施形態を例示している。様々な実施形態において、試験バス管理は、試験バス３２上で同時に複数の試験セッションが開始されることを防止しようとする。様々な実施形態において、試験バス３２を予約するために、試験に先立って予約メッセージが送信され、試験の完了後に試験バス３２を解放するために解放メッセージが送信される。
【００３３】
パケット５０は、予約メッセージ又は解放メッセージの何れかを試験バス３２上で伝送するために使用される。一実施形態によれば、パケット５０はＳＯＮＥＴデータ通信チャネル（ＳＤＣＣ）パケットである。パケット５０は、ペイロード部５２とオーバヘッド部５４とを有し、オーバヘッド部５４は、試験バス予約のメッセージ伝達に使用される試験バス部５６を含む。一実施形態において、試験バス部５６は、試験バス３２が試験セッションのために予約されていて利用できないことを指し示すために“予約済み”に設定されるフラグを含む。このフラグは、試験バス３２が解放されていて利用可能であることを指し示す場合には、“クリア済み”に設定される。一例において、ネットワーク構成要素２６は、試験バス部５６のフラグが“予約済み”に設定されたパケット５０を有する予約メッセージを送信する。別の一例においては、ネットワーク構成要素２６は、試験バス部５６のフラグが“クリア済み”に設定されたパケット５０を有する解放メッセージを送信する。
【００３４】
他の一実施形態においては、試験バス３２はエレメント管理レベル（ＥＭＳ）で予約される。この実施形態においては、ネットワークＥＭＳが、例えばネットワーク構成要素２６である特定のネットワーク構成要素に試験バス３２を割り当てる。そして、ネットワーク構成要素２６は試験対象回路４４の試験を実行し、ＥＭＳが試験バス３２を解放する。
【００３５】
更なる他の一実施形態においては、試験バス３２は、ＳＤＣＣ上でメッセージを伝達することによって予約される。この実施形態においては、ネットワーク構成要素２６が試験対象回路４４の試験を開始するとき、ネットワーク構成要素２６は、試験バス３２の予約要求を試験バス３２上で送信する。例えばネットワーク構成要素２４及び２８並びにゲートウェイ・ネットワーク構成要素２２である他のネットワーク構成要素は、試験が完了するまで、試験バス３２へのアクセスから遮断される。試験が完了すると、ネットワーク構成要素２６は試験バス３２を解放する。
【００３６】
理解されるべきことには、この開示による教示を逸脱することなく、試験バス３２を予約・解放する他の手法も用いられ得る。
【００３７】
ここでの開示は特定の実施形態及び関連方法に関して説明されたが、これらの実施形態及び方法への様々な変更及び置換が当業者に明らかになるであろう。従って、例示的な実施形態に関する以上の説明はこの開示を制約するものではなく、特許請求の範囲によって定められるこの開示の意図及び範囲を逸脱することなく、様々な変更が為され得る。
【００３８】
以上の説明に関し、更に以下の項を開示する。
（付記１）  回路を試験する方法であって：
試験セッションを回路パスに実行することを指し示す試験アクセスセッション要求を受信する段階；
複数のネットワーク構成要素間で共有される帯域幅の一部を有する試験バスに、該試験バスを前記試験セッションのために予約する予約メッセージを送信する段階；及び
前記回路パスに関連するトラフィックを前記試験バスに複製する段階；
を有する方法。
（付記２）  前記試験バスを前記回路パスに接続する段階；
を更に有する付記１記載の方法。
（付記３）  切断要求を受信する段階；及び
前記試験バスを前記回路パスから切断する段階；
を更に有する付記１記載の方法。
（付記４）  前記試験バスが利用可能なことを指し示す解放メッセージを前記試験バスに送信する段階；及び
前記試験バスを解放する段階；
を更に有する付記１記載の方法。
（付記５）  前記試験セッションが完了したことを指し示す確認メッセージを送信する段階；
を更に有する付記１記載の方法。
（付記６）  前記試験バスが利用可能であること、又は前記試験バスが利用可能でないこと、の何れかを指し示すフラグを有するパケットを含むメッセージを送信する段階；
を更に有する付記１記載の方法。
（付記７）  前記予約メッセージを送信する段階は：
前記試験バスが利用可能なことを判定する段階；及び
前記試験バスが利用可能な場合に、前記予約メッセージを送信する段階；
を有する、付記１記載の方法。
（付記８）  前記試験アクセスセッション要求を受信する段階は：
前記試験アクセスセッション要求を試験アクセス装置から受信する段階；
を有する、付記１記載の方法。
（付記９）  前記試験バスは、複数のタイムスロットのうちの当該試験バスのために予約されたタイムスロットを有する、付記１記載の方法。
（付記１０）  回路の試験を支援するネットワーク構成要素であって：
インターフェース、及び該インターフェースに結合された１つ以上のプロセッサを有し；
前記インターフェースは：
試験セッションを回路パスに実行することを指し示す試験アクセスセッション要求を受信し；
前記１つ以上のプロセッサは：
複数のネットワーク構成要素間で共有される帯域幅の一部を有する試験バスに、該試験バスを前記試験セッションのために予約する予約メッセージを送信し；且つ
前記回路パスに関連するトラフィックを前記試験バスに複製する；
ネットワーク構成要素。
（付記１１）  前記１つ以上のプロセッサは更に：
前記試験バスを前記回路パスに接続する；
付記１０記載のネットワーク構成要素。
（付記１２）  前記１つ以上のプロセッサは更に：
切断要求を受信し；且つ
前記試験バスを前記回路パスから切断する；
付記１０記載のネットワーク構成要素。
（付記１３）  前記１つ以上のプロセッサは更に：
前記試験バスが利用可能なことを指し示す解放メッセージを前記試験バスに送信し；且つ
前記試験バスを解放する；
付記１０記載のネットワーク構成要素。
（付記１４）  前記１つ以上のプロセッサは更に：
前記試験セッションが完了したことを指し示す確認メッセージを送信する；
付記１０記載のネットワーク構成要素。
（付記１５）  前記１つ以上のプロセッサは更に：
前記試験バスが利用可能であること、又は前記試験バスが利用可能でないこと、の何れかを指し示すフラグを有するパケットを含むメッセージを送信する；
付記１０記載のネットワーク構成要素。
（付記１６）  前記１つ以上のプロセッサは：
前記試験バスが利用可能なことを判定し；且つ
前記試験バスが利用可能な場合に、前記予約メッセージを送信する
ことによって、前記予約メッセージを送信する、
付記１０記載のネットワーク構成要素。
（付記１７）  前記インターフェースは前記試験アクセスセッション要求を試験アクセス装置から受信する、付記１０記載のネットワーク構成要素。
（付記１８）  前記試験バスは、複数のタイムスロットのうちの当該試験バスのために予約されたタイムスロットを有する、付記１０記載のネットワーク構成要素。
（付記１９）  １つ以上のコンピュータ読み取り可能媒体に格納されたプログラムであって、実行されたとき、１つ以上のプロセッサに：
試験セッションを回路パスに実行することを指し示す試験アクセスセッション要求を受信する段階；
複数のネットワーク構成要素間で共有される帯域幅の一部を有する試験バスに、該試験バスを前記試験セッションのために予約する予約メッセージを送信する段階；及び
前記回路パスに関連するトラフィックを前記試験バスに複製する段階；
を行わせるプログラム。
（付記２０）  実行されたとき、前記１つ以上のプロセッサに更に：
前記試験バスを前記回路パスに接続する段階；
を行わせる付記１９記載のプログラム。
（付記２１）  実行されたとき、前記１つ以上のプロセッサに更に：
切断要求を受信する段階；及び
前記試験バスを前記回路パスから切断する段階；
を行わせる付記１９記載のプログラム。
（付記２２）  実行されたとき、前記１つ以上のプロセッサに更に：
前記試験バスが利用可能なことを指し示す解放メッセージを前記試験バスに送信する段階；及び
前記試験バスを解放する段階；
を行わせる付記１９記載のプログラム。
（付記２３）  実行されたとき、前記１つ以上のプロセッサに更に：
前記試験セッションが完了したことを指し示す確認メッセージを送信する段階；
を行わせる付記１９記載のプログラム。
（付記２４）  実行されたとき、前記１つ以上のプロセッサに更に：
前記試験バスが利用可能であること、又は前記試験バスが利用可能でないこと、の何れかを指し示すフラグを有するパケットを含むメッセージを送信する段階；
を行わせる付記１９記載のプログラム。
（付記２５）  実行されたとき、前記１つ以上のプロセッサに：
前記試験バスが利用可能なことを判定し；且つ
前記試験バスが利用可能な場合に、前記予約メッセージを送信する；
ことによって前記予約メッセージを送信する段階を行わせる付記１９記載のプログラム。
（付記２６）  実行されたとき、前記１つ以上のプロセッサに：
前記試験アクセスセッション要求を試験アクセス装置から受信する；
ことによって前記試験アクセスセッション要求を受信する段階を行わせる付記１９記載のプログラム。
（付記２７）  前記試験バスは、複数のタイムスロットのうちの当該試験バスのために予約されたタイムスロットを有する、付記１９記載のプログラム。
【図面の簡単な説明】
【００３９】
【図１】共有帯域幅試験バスを用いて回路を試験するためのネットワークシステムを例示するブロック図である。
【図２】共有帯域幅試験バスを用いて回路を試験する方法の一実施形態を例示する図である。
【図３】試験バスを用いる試験セッションを管理するためのパケットの一実施形態を例示する図である。
【符号の説明】
【００４０】
１０    ネットワークシステム
２０    リング型ネットワーク
２２    ゲートウェイ・ネットワーク構成要素
２４、２６、２８    ネットワーク構成要素
３０    ファイバ
３２    試験バス
３４    試験アクセス装置
４０    回路
４２ａ、４２ｂ    ネットワークノード
４４    試験対象回路
５０    パケット
５２    ペイロード
５４    オーバヘッド
５６    フラグを含む試験バス部
【図１】
0005211950.tif 000002
【図２】
0005211950.tif 000003
【図３】
0005211950.tif 000004